(57)【要約】【課題】    回転操作部材の回転軸に対して略垂直方向に載置され、回転操作手段の回転操作部材を回転操作した時に回転必要トルク変化をもたらす鋼球と圧縮バネの組立性を向上させること。【解決手段】  電子機器の回転操作手段において、固定部に対して回転可能に支持される回転操作部材が有り、回転操作部材は回転軸に対して略垂直方向にカム面を持ち、固定部が回転操作部材で覆われる面内に溝部が有り、溝部に沿って圧縮バネと鋼球が載置されており、回転操作部材と固定部が組まれていない時は、鋼球と共に溝部に載置されている圧縮バネは非圧縮状態であり、回転操作部材と固定部が回転軸方向に組まれる時、鋼球が回転操作部材と最初に接触する箇所は、カム面と接する側の鋼球の半球であり、組み込み中に圧縮バネは圧縮される構成とした。【選択図】  図７
2018101082.tif 000002
【特許請求の範囲】
【請求項１】
固定部１０６aに対して回転可能に支持される回転操作部材１１２が有り、前記回転操作部材１１２は回転軸Yに対して垂直方向にカム面１１２a、１１２bを持ち、前記固定部１０６aが前記回転操作部材１１２で覆われる面内に溝部１０６ｇが有り、前記溝部１０６ｇに沿って圧縮バネ１２６と鋼球１２７が載置されており、
前記回転操作部材１１２と固定部１０６aが組まれていない時は、前記鋼球１２７と共に前記溝部１０６gに載置されている前記圧縮バネ１２６は非圧縮状態であり、
前記回転操作部材１１２と前記固定部１０６aが回転軸Y方向に組まれる時、前記鋼球１２７が前記回転操作部材１１２と最初に接触する箇所は、前記カム面１１２a、１１２bと接する側の前記鋼球１２７の半球１２７aであり、組み込み中に圧縮バネ１２６は圧縮される、回転操作手段を有したことを特徴とする電子機器。
【請求項２】
請求項１に記載の前記溝部１０６ｇは、前記圧縮バネ１２６と前記鋼球１２７が載置される底面１０６bと、前記圧縮バネ１２６のバネ伸縮方向に沿う側面１０６cと、前記圧縮バネ１２６のバネ伸縮方向の一方の端部側に対向する受け面１０６eと、前記圧縮バネ１２６のバネ伸縮方向の他端部側に載置された前記鋼球１２７に対向する受け面１０６dがある、回転操作手段を有したことを特徴とする電子機器。
【請求項３】
請求項１または２に記載の前記ダイアル１１２と前記固定部１０６aを回転軸Y方向に組立を行い、前記ダイアル１１２が前記鋼球１２７と最初に接触する時、前記鋼球１２７表面と前記ダイアル１１２の回転軸Y方向との隙間Bは、鋼球１２７の直径以下である、回転操作手段を有したことを特徴とする電子機器。
【請求項４】
固定部１０６aに対して回転可能に支持される回転操作部材１１２が有り、前記固定部１０６aは回転軸Yに対して垂直方向にカム面１０６ｈ、１０６iを持ち、前記回転操作部材１１２の前記固定部１０６aで覆われる面内に溝部１１２hが有り、前記溝部１１２hに沿って圧縮バネ１２６と鋼球１２７が載置されており、
前記回転操作部材１１２と固定部１０６aが組まれていない時は、前記鋼球１２７と共に前記溝部１１２hに載置されている前記圧縮バネ１２６は非圧縮状態であり、
前記回転操作部材１１２と前記固定部１０６aが回転軸Y方向に組まれる時、前記鋼球１２７が固定部１０６aと最初に接触する箇所は、前記カム凸面１０６h、カム凹面１０６iと接する側の前記鋼球１２７の半球面１２７aであり、組み込み中に前記圧縮バネ１２６は圧縮される、回転操作手段を有したことを特徴とする電子機器。
【請求項５】
請求項４に記載の前記溝部１１２hは、前記圧縮バネ１２６と前記鋼球１２７が載置される底面１１２iと、前記圧縮バネ１２６のバネ伸縮方向に沿う側面１１２jと、前記圧縮バネ１２６のバネ伸縮方向の一方の端部側に対向する受け面１１２mと、前記圧縮バネ１２６のバネ伸縮方向の他端部側に載置された前記鋼球１２７に対向する受け面１１２kがある、回転操作手段を有したことを特徴とする電子機器。
【請求項６】
請求項４または５に記載の前記ダイアル１１２と前記固定部１０６aを回転軸Y方向に組立を行い、前記固定部１０６aが前記鋼球１２７と最初に接触する時、前記鋼球１２７表面と前記固定部１０６aの回転軸Y方向との隙間Bは、鋼球１２７の直径以下である、回転操作手段を有したことを特徴とする電子機器。
【発明の詳細な説明】
【技術分野】
【０００１】
本発明は、例えばデジタルカメラやデジタルビデオカメラ等の撮像装置を含む電子機器に関し、特に回転操作部材を備える電子機器に関する。
【背景技術】
【０００２】
デジタルカメラ等の撮像装置において、回転操作部材を備えたものが提案されている（特許文献１）。この回転操作部材は、回転操作が可能な操作ダイアルであり、操作ダイアルの回転軸に垂直な方向に、鋼球がコイルスプリングで操作ダイアルの係合凹部に付勢されるように配置されている。鋼球とコイルスプリングを、操作ダイアルの厚さの内部に配置したことで小型化を達成している。
【０００３】
撮影者が操作ダイアルを回転操作すると、鋼球が係合凹部の山を乗り越えることにより、操作ダイアルを回転させるために必要なトルクが変化する。撮影者はこのトルク変化をクリック力と感じる。
【先行技術文献】
【特許文献】
【０００４】
【特許文献１】特開2004-327218号公報
【発明の概要】
【発明が解決しようとする課題】
【０００５】
特許文献１の操作ダイアルでは、鋼球とコイルスプリングがケース表面の長溝に沿って収納されている。組立作業者は、操作ダイアルを組み立てる時に、操作ダイアルと一体に回転する押さえ部材に設けられた挿入口から前記長溝が見える位置に操作ダイアルの回転位相を合わせる。次に、鋼球とコイルスプリングを挿入口から長溝に挿入して、鋼球がコイルスプリングによって操作ダイアルの係合凹部に向けて操作ダイアルの回転軸に垂直な方向に付勢されるように組み立てる。
【０００６】
組み立てるコイルスプリングの大きさは、操作ダイアルのダイアル厚さが薄く、操作ダイアル直径が小さい場合には、操作ダイアル内に配置可能な空間に合わせてコイルスプリングの外径が小さくコイルスプリングの自然長が短くなる。組み立てるコイルスプリングの外径が小さく自然長が短くなると、組立作業者は組立時にコイルスプリングを保持し難くなる問題があった。
【０００７】
さらに電子機器の振動や落下によって、組み込まれたコイルスプリングが挿入口から容易に飛び出ないようにするため、挿入口のコイルスプリング伸縮方向の開口長さが、コイルスプリングの自然長よりも短い場合がある。組立作業者は、コイルスプリングを挿入口に挿入する時、コイルスプリングを挿入口に挿入可能な圧縮高さまで圧縮しながら挿入する。もしくは非圧縮状態のコイルスプリングの先端部だけ挿入口に入れた後に、挿入されたコイルスプリング後端を押してコイルスプリング全体を圧縮させながら挿入口に押し込む。
【０００８】
このコイルスプリング押しこみ作業時に、組立作業者のコイルスプリング保持が不安定になり、コイルスプリングを長溝外部にはじき飛ばしてしまう問題があった。
【０００９】
そこで本発明は、鋼球と圧縮バネが回転作操作部材の回転軸に対して略垂直方向に付勢されるように配置された回転操作手段を有する電子機器で、特に鋼球と圧縮バネの組立性を向上させることを目的にしている。
【課題を解決するための手段】
【００１０】
上記課題を解決する為に、本発明に係る第１の実施の形態における電子機器は、固定部１０６aに対して回転可能に支持される回転操作部材１１２が有り、前記回転操作部材１１２は回転軸Yに対して略垂直方向にカム面１１２a、１１２bを持ち、前記固定部１０６aが前記回転操作部材１１２で覆われる面内に溝部１０６ｇが有り、前記溝部１０６ｇに沿って圧縮バネ１２６と鋼球１２７が載置されており、前記回転操作部材１１２と固定部１０６aが組まれていない時は、前記鋼球１２７と共に前記溝部１０６gに載置されている前記圧縮バネ１２６は非圧縮状態であり、前記回転操作部材１１２と前記固定部１０６aが回転軸Y方向に組まれる時、前記鋼球１２７が前記回転操作部材１１２と最初に接触する箇所は、カム面１１２a、１１２bと接する側の前記鋼球１２７の半球１２７aであり、組み込み中に圧縮バネ１２６は圧縮される、回転操作手段を有したことを特徴としている。
【００１１】
本発明に係る第２の実施の形態における電子機器は、固定部１０６aに対して回転可能に支持される回転操作部材１１２が有り、前記固定部１０６aは回転軸Yに対して略垂直方向にカム面１０６ｈ、１０６iを持ち、前記回転操作部材１１２の前記固定部１０６aで覆われる面内に溝部１１２hが有り、前記溝部１１２hに沿って圧縮バネ１２６と鋼球１２７が載置されており、前記回転操作部材１１２と固定部１０６aが組まれていない時は、前記鋼球１２７と共に前記溝部１１２hに載置されている前記圧縮バネ１２６は非圧縮状態であり、前記回転操作部材１１２と前記固定部１０６aが回転軸Y方向に組まれる時、前記鋼球１２７が前記固定部１０６aと最初に接触する箇所は、前記カム凸面１０６h、カム凹面１０６iと接する側の前記鋼球１２７の半球１２７aであり、組み込み中に前記圧縮バネ１２６は圧縮される、回転操作手段を有したことを特徴としている。
【発明の効果】
【００１２】
本発明によれば、非圧縮状態の圧縮バネ１２６と鋼球１２７を溝部(１０６g又は１１２ｈ)に載置した後、回転操作部材１１２と固定部１０６aを回転軸Y方向に組むだけで、鋼球１２７と圧縮バネ１２６を所望の位置まで圧縮させて組み込むことが出来る。鋼球と圧縮バネの組立性が容易な回転操作手段を有する電子機器を提供できる。
【図面の簡単な説明】
【００１３】
【図１】本発明の電子機器の実施形態の一例であるデジタルカメラを正面側（被写体側）から見た斜視図
【図２】本発明の電子機器の実施形態の一例であるデジタルカメラを背面側（撮影者側）から見た斜視図
【図３】回転操作手段の分解斜視図
【図４】回転操作手段の断面図
【図５】(a)延出部の一部を拡大した斜視図  (b)溝部に圧縮バネと鋼球が組み込まれた状態を示した斜視図
【図６】(a)カム面側のサブダイアル斜視図  (ｂ)サブダイアル用ブラシ接片側のサブダイアル斜視図
【図７】(a)サブダイアルを鋼球に接触するまで回転軸方向に組んだ断面図  (b)サブダイアルと延出部が回転軸方向に組まれた状態の断面図
【図８】基板の展開図
【図９】サブダイアル面側の延出部斜視図
【図１０】(a)サブダイアル用ブラシ接片側のサブダイアル斜視図  (ｂ)溝部側のサブダイアル斜視図  (c)溝部に圧縮バネと鋼球が組み込まれたサブダイアルの斜視図
【図１１】(a)延出部を鋼球に接触するまで組み込んだ状態の断面図  (b)延出部とサブダイアルが回転軸方向に組まれた状態の断面図
【発明を実施するための形態】
【００１４】
［第１の実施の形態］
以下、図面を参照して、本発明の第１の実施の形態の一例を説明する。図１、図２を用いて、デジタルカメラの主な構成部品の説明を行う。図１は、本発明の電子機器の実施形態の一例であるデジタルカメラを正面側（被写体側）から見た斜視図である。図２は、本発明の電子機器の実施形態の一例であるデジタルカメラを背面側（撮影者側）から見た斜視図である。
【００１５】
本実施形態のデジタルカメラは、図１と図２に示すように、正面側カバー１０１、背面側カバー１０２、右面側カバー１０４、上面側カバー１０６、底面側カバー１０７によりカメラ本体１００の外装を形成している。カメラ本体１００の正面側には、撮影レンズ１０３が設けられている。カメラ本体１００の上面側には、レリーズボタン１１４が設けられている。レリーズボタン１１４が押されると、前記撮影レンズ１０３を介した映像が、不図示のデジタルカメラ内部の撮像素子に取り込まれ、不図示の画像処理手段で画像情報化され、不図示の記憶媒体に記録される。
【００１６】
カメラ本体１００上面側にはさらに、上面側カバー１０６の最も上端部に第１の回転操作部材として露出補正ダイアル１１１が設けられている。露出補正ダイアル１１１は、所定の回転角度内で往復回転ができる。デジタルカメラが露出補正ダイアル１１１の回転操作位置を検出することで、デジタルカメラの露出補正量を選択できるように構成されている。露出補正ダイアル１１１の下に第２の回転操作部材としてサブダイアル１１２が配置されている。サブダイアル１１２は正逆方向に1回転以上回転出来る。
【００１７】
デジタルカメラがサブダイアル１１２の回転角度と回転方向を検出することで、デジタルカメラの撮影時のISO感度やシャッター速度を変更するなど各種補正値の選択ができるように構成されている。サブダイアル１１２の下に第３の回転操作部材として電源レバー１０９が設けられている。電源レバー１０９は、所定の回転角度内で往復回転ができる。デジタルカメラが電源レバー１０９の停止位置を検出することで、主電源の入り切りを検出できるようになっている。本実施の形態の回転操作手段の一例では、前記第１、第２、第３の回転操作部材は、同軸で回転する構成である。
【００１８】
カメラ本体１００上面側にはさらに、ポップアップ式のストロボユニット１０５が設けられている。ポップアップ式のストロボユニット１０５は、不図示ではあるが、ストロボ発光時にカメラ本体１００からストロボ発光部がポップアップして、撮影時に適宜ストロボ光を発光する。カメラ本体１００の背面側には、ＬＣＤ等の表示ユニット１０８がカメラ本体１００に対して開閉方向に回動可能に支持されている。
【００１９】
次に、本件の第１の実施の形態の回転操作手段の構成について、図６（a）、図６（b）、図３、図４、を用いて、説明する。図６（a）は、カム面側のサブダイアル斜視図である。図６（a）において、第二の回転操作手段であるサブダイアル１１２は、内部にサブダイアル１１２の回転軸Yを中心とした円周方向沿って、カム凸面１１２aとカム凹面１１２ｂが連続するカム面が回転軸Ｙ方向を向いて設けられている。カム凸面１１２a、カム凹面１１２ｂの回転軸Y方向の端部には傾斜面１１２cが設けられている。
【００２０】
サブダイアル１１２には、サブダイアル１１２の回転中心を規制する穴１１２ｄと、回転位置指標１１２eがある。回転位置指標１１２eは穴１１２ｄの一部が凹形状になった形であり、回転位置指標１１２eの凹形状の向きは、ひとつのカム凹面１１２ｂと回転軸Yの法線方向と一致している。
【００２１】
図６（ｂ）は、サブダイアル用ブラシ接片側のサブダイアル斜視図である。図６（ｂ）において、図６（ｂ）のサブダイアル１１２斜視図は、図６（a）で示したサブダイアル１１２の反対面側の斜視図である。サブダイアル用ブラシ接片１１９は、金属で作られて電気導通性を有している。サブダイアル１１２に設けられた位置決めだぼ１１２ｆでサブダイアル１１２への取付位置が決められ、接合部１１２ｇで接合されてサブダイアル１１２と一体化している。
【００２２】
図３は、回転操作手段の分解斜視図である。図４は、回転操作手段の断面図である。図４は、回転操作手段の組立が完了している状態での断面図である。図３は、図４の回転操作部材が分解されたものである。図３と図４において、本実施例の回転操作手段は、３つの回転操作部材である露出補正ダイアル１１１とサブダイアル１１２と電源レバー１０９を有しており、３つの回転操作部材が一つの回転軸Yに同軸に重なって設けられている。最も上端部に位置する露出補正ダイアル１１１は、外観部にある化粧板１１１aと接着剤で一体に接合されている。
【００２３】
露出補正ダイアル１１１は、回転軸Y方向の規制が、後述する延出部１０６aのH部と、後述するトップベース１２１のI部の2か所で行われている。さらに露出補正ダイアル１１１は、回転軸Yに垂直方向への規制が後述する延出部１０６aのF部と、後述するトップベース１２１のG部で行われており、延出部１０６aに対して回転可能に保持されている。第一封止部材１１５は、上記化粧板１１１aの接着時に露出補正ダイアル１１１に設けられた穴部１１１b に嵌めこまれた状態で同時に接着されている。
【００２４】
鋼球１１６は、露出補正ダイアル１１１のダイアル内面に設けた不図示のカム面に当接するように配置されており、圧縮バネ１１７は鋼球１１６を回転軸Yに対して略垂直方向にカム面方向に付勢している。延出部１０６aは、上面側カバー１０６の端部から延びた上面側カバー１０６の一部であり、上面側カバー１０６と一体で形成されている。延出部１０６aは、カメラ本体１００に固定されている固定部である。第二封止部材１１８は、延出部１０６aに設けられた図５で説明する穴部１０６ｆを塞いでいる。トップベース１２１は、上面側カバー１０６の内面に複数のビス１２２で固定されている。
【００２５】
サブダイアル１１２は、樹脂で成形されており、回転軸Y方向の規制が延出部１０６aのJ部と、トップベース１２１のK部との2か所で行われている。さらにサブダイアル１１２は、回転軸Yに垂直方向への規制がトップベース１２１のL部で行われ、トップベース１２１に対して回転可能に保持されている。前記図６で示たように、サブダイアル１１２の内面には、カム凸面１１２aとカム凹面１１２ｂから成る連続するカム面が、回転軸Ｙ方向を向いて設けられている。カム凸面１１２aは、鋼球１２７を介して圧縮バネ１２６を回転軸Y方向に大きく圧縮する。
【００２６】
故にサブダイアル１１２を回転させて、鋼球１２７がカム凸面１１２aを乗り越える時の回転必要トルクは高くなる。逆にカム凹面１１２ｂは、鋼球１２７を介して圧縮バネ１２６を回転軸Y方向に小さく圧縮する。故にサブダイアル１１２を回転させて、鋼球１２７がカム凹面１１２bを乗り越える時の回転必要トルクは低くなる。サブダイアル１１２を連続回転操作すると、鋼球１２７がカム凸面１１２aとカム凹面１１２bを順番に乗り越える時の前記圧縮バネ１２６の押圧力が変化する。
【００２７】
前記サブダイアル１１２を回転させるために必要な回転トルクが変化し、この変化がサブダイアル１１２を回転操作する者にクリック力として認識される。電源レバー１０９は、回転軸Y方向の規制がトップベース１２１のM部と、サブダイアル１１２のN部との2か所で行われており、さらに回転軸Yに垂直方向への規制がトップベース１２１のO部で行われている。電源レバー１０９はトップベース１２１に対して回転可能に保持されている。圧縮バネ１２６と鋼球１２７は、延出部１０６aの後述する溝部１０６ｇに納められている。
【００２８】
鋼球１２８と圧縮バネ１２９は、上面側カバー１０６内面に設けた不図示の溝部に納められ、電源レバー１０９に設けた不図示のカム面に当接するように配置されている。サブダイアル用パターン部１２０aは図８で後述する基板１２０の一部を成し、サブダイアル１１２の回転位置の検出に用いる。露出補正ダイアル用パターン部１２０bも同様に、図８で後述する基板１２０の一部を成し、露出補正ダイアル１１１の回転位置を検出するために用いる。サブダイアル用パターン部１２０aは、サブダイアル用ブラシ接片１１９に対向する側のトップベース１２１表面に貼り付けられている。
【００２９】
露出補正ダイアル用パターン部１２０ｂは、後述する露出補正用ブラシ接片１２３に対向する側のトップベース１２１表面に貼り付けられている。抜け止め板１２４は、露出補正ダイアル１１１の軸１１１cに位置決めされ、ビス１２５によって露出補正ダイアル１１１の軸１１１cに固定されており、露出補正ダイアル１１１と一体で回転する。露出補正ダイアル用ブラシ接片１２３は、金属で作られて電気導通性を有しており、抜け止め板１２４に接合されて露出補正ダイアル１１１と一体で回転する。
【００３０】
図８は基板の展開図である。図８に示したように、基板１２０は例えば曲げることの出来るフレキシブル基板であり、サブダイアル用パターン部１２０aと露出補正用パターン部１２０ｂが連結されて構成されており、各パターン部が所望のブラシ接片に向くように折り曲げられている。
【００３１】
次に、本実施の形態の回転操作手段の組立方法を説明する。はじめに、図５（a）図５（b）を用いて、延出部１０６aに、鋼球１２７と圧縮バネ１２６が載置されるまでの第１の実施の形態の組立方法を説明する。図５（a）は、延出部の一部を拡大した斜視図である。図５（a）において、延出部１０６aがサブダイアル１１２で覆われる面内に溝部１０６ｇがある。溝部１０６ｇには、底面１０６ｂと側面１０６ｃと、受け面１０６ｄと、受け面１０６eが設けられている。底面１０６ｂの中程には貫通された穴部１０６ｆがある。
【００３２】
溝部１０６ｇは、回転軸Yに垂直な方向に底面１０６ｂと側面１０６ｃが伸び、その両端部を回転軸Ｙから遠い側にある受け面１０６ｄと、回転軸Ｙに近い側にある受け面１０６eで囲まれている。組立作業者は図５（a）の溝部１０６ｇに対して、最初に圧縮バネ１２６を片端部の受け面１０６eに接して組み込む。次に鋼球１２７を溝部１０６ｇの受け面１０６ｄと圧縮バネ１２６の端部との間に組み込む。
【００３３】
図５（b）は、溝部に圧縮バネと鋼球が組み込まれた状態を示した斜視図である。図５（b）で示したように、溝部１０６ｇに沿って圧縮バネ１２６と鋼球１２７が載置されただけの状態では、圧縮バネ１２６は鋼球１２７によって圧縮されていない状態である。故に鋼球１２７は圧縮バネ１２６の弾性力で溝部１０６ｇから押し出されることは無く、鋼球１２７は受け面１０６ｄと圧縮バネ１２６端部で保持されるので溝部１０６ｇから脱落することはない。
【００３４】
組立作業者は、図５（ｂ）の状態に組み立てるために、圧縮バネ１２６を圧縮させながら保持する必要がなく、ただ圧縮されていない圧縮バネ１２６を保持して溝部１０６ｇに置くだけでよい。同様に鋼球１２７も圧縮バネ１２６を圧縮させながら組み込む必要が無く、圧縮バネ１２６端部と受け面１０６ｄの間に置くだけでよい。
【００３５】
以上のように、圧縮バネ１２６と鋼球１２７の溝部１０６ｇへの載置のために、組立作業者に圧縮バネ１２６の圧縮作業を必要としないため、組立中の圧縮バネ１２６や鋼球１２７の溝部１０６ｇからの意図しない飛び出しや紛失が少なく、組立作業が容易である。
【００３６】
次に図７（a）図７（b）を用いて、図６で説明したサブダイアル１１２の、図５（b）で説明した鋼球１２７と圧縮バネ１２６が載置された延出部１０６aへの第１の実施の形態における組立て方法を説明する。
【００３７】
図７（a）は、サブダイアルを鋼球に接触するまで回転軸方向に組んだ断面図である。組立作業者は始めに、図７（a）の状態にするために、サブダイアル１１２の回転位置指標１１２eが溝部１０６ｇに一致するようにサブダイアル１１２を回転させて向きを合わせ、次にサブダイアル１１２の回転軸Yと一致する図面A方向に組み付けを行う。回転位置指標１１２eを溝部１０６ｇと一致させる理由は、サブダイアル１１２のA方向組み付けによって移動する鋼球１２７の移動量をなるべく減らすためである。
【００３８】
回転位置指標１１２eは、圧縮バネ１２６の圧縮量が小さいカム凹面１１２ｂの1つの位相を示している。鋼球１２７と圧縮バネ１２６の移動量が減れば、圧縮バネ１２６を圧縮するために必要なサブダイアル１１２のＡ方向に組む組み付け力が減り組み付け易くなる。組立作業者が、サブダイアル１１２をA方向に回転軸Yと一致させて延出部１０６a側に組み込むと、図７（a）で示したように、カム面１１２a、１１２bと接する側の鋼球１２７の半球面１２７aに、サブダイアルの傾斜面１１２ｃが接する状態になる。
【００３９】
図７（a）の状態で、鋼球１２７の上端部とサブダイアル１１２との組込A方向の隙間をBとする。さらにA方向と垂直方向の延出部１０６aとサブダイアル１１２の偏心可能な隙間をCとする。隙間Bと隙間Cは、いずれも鋼球１２７の直径よりも小さいので、鋼球１２７がサブダイアル１１２組込中にサブダイアル１１２と延出部１０６aとの隙間から飛び出すことはない。組立の際に、延出部１０６aとサブダイアル１１２の回転軸Yを規制する貫通軸のような組立補助冶具を用いれば、必ずしも隙間Cを鋼球１２７の直径以下にしなくても、延出部１０６aとサブダイアル１１２は組立中に回転軸Yに対して垂直方向にずれ難くなる。
【００４０】
次に組立作業者が、図７（a）の状態からサブダイアル１１２を回転軸Yと一致する図面A方向にさらに押しこむ。すると、鋼球１２７の半球１２７aがサブダイアル１１２の傾斜面１１２ｃに押されて、押された前記鋼球１２７を介して前記圧縮バネ１２６が受け面１０６e方向に圧縮される。
【００４１】
鋼球１２７は、傾斜面１１２ｃを伝って圧縮量が小さいカム面１１２ｂに落ち込む。圧縮量が小さいカム凹面１１２ｂを溝部１０６ｇと位相を一致させてサブダイアル１１２を組んでいるので、鋼球１２７の傾斜面１１２ｃからカム凹面１１２ｂへの移動量がカム凸面１１２aと溝部１０６ｇを一致させて組むより小さくなり、圧縮バネ１２６の圧縮が滑らかに行われる。
【００４２】
図７（b）は、サブダイアルと延出部が回転軸方向に組まれた状態の断面図である。図７（b）は、サブダイアル１１２が延出部１０６aへ回転軸Yに一致するA方向に組み込みが完了した状態を示している。
【００４３】
以上のように、組立作業者は、サブダイアル１１２を回転軸Yと一致するA方向に押し込むだけで、所望の位置までの鋼球１２７による圧縮バネ１２６の圧縮作業が完了する。図７（a）から図７（ｂ）に至る組立で、組立作業者に圧縮バネ１２６や鋼球１２７を直接触って圧縮作業をさせないので、組立中の圧縮バネ１２６や鋼球１２７の溝部１０６ｇからの意図しない飛び出しや紛失が少なく、組立作業自体も容易である。
【００４４】
図３図４を用いて、図７（ｂ）でサブダイアル１１２が延出部１０６aに組み付けられた後の回転操作手段の組立方法を説明する。組立作業者は、電源レバー１０９をサブダイアル１１２に嵌めこみ、鋼球１２８と圧縮バネ１２９を延出部１０６aの不図示の溝部に組み込む。さらに基板１２０が貼りつけられたトップベース１２１を、延出部１０６aに組み付けて2本のビス１２２を用いて固定する。組立作業者は、延出部１０６aに設けられた穴部１０６ｆから、圧縮バネ１２６が倒れたりせずに所望の状態に組み付けられていることを確認した後、第二封止部材１１８を穴部１０６ｆに嵌めこみ、露出補正ダイアル１１１を回転軸Yに沿って延出部１０６aに嵌めこむ。
【００４５】
露出補正ダイアル用接片１２３が接合された抜け止め板１２４を露出補正ダイアル１１１の軸１１１cに位置決めし、ビス１２５で抜け止め板１２４を露出補正ダイアル１１１に固定する。延出部１０６aに回転可能に保持された露出補正ダイアル１１１の穴部１１１bから鋼球１１６と圧縮バネ１１７を挿入して延出部１０６aの不図示の溝部に組み込む。組込が完了した後、第一封止部材１１５を露出補正ダイアル穴部に嵌め、化粧板１１１aと共に接着する。以上のようにして、本実施例の回転操作手段を組み立てる。
【００４６】
第１の実施の形態で説明した溝部１０６ｇの形状は一例であり、サブダイアル１１２組込み中に、載置された鋼球１２７や圧縮バネ１２６が延出部１０６aの溝部１０６gから容易に脱落しない溝部の形状であれば他の形状でも構わない。第１の実施の形態では、回転軸Yに近い側に溝部１０６hの圧縮バネ１２６受け面１０６eを設け、回転軸Yから遠い側に鋼球１２７受け面１０６d設けた。
【００４７】
しかし、第１の実施の形態のようなサブダイアル１１２のカム面１１２a、１１２bが回転軸Yに向く方向のカム面ではなく、逆に、回転軸Y中心から外を向く方向のカム面にする。このようなカム面の場合は、回転軸Yに近い側に溝部１０６hの鋼球１２７受け面１０６dを設け、回転軸Yから遠い側に圧縮バネ１２６受け面１０６eを設けても構わない。第１の実施の形態では、回転操作手段の回転操作部材として、第２の回転操作部材であるサブダイアル１１２での実施を一例として説明したが、他の回転操作部材で実施しても構わない。
【００４８】
［第２の実施の形態］
サブダイアル１１２の回転操作時にクリック力を感じるためには、サブダイアル１１２を回転させることで、カム面による鋼球１２７と圧縮バネ１２６の圧縮量変化があれば良い。
【００４９】
第１の実施の形態では、鋼球１２７と圧縮バネ１２６の保持を、カメラ本体１００の固定部である延出部１０６aに設けた溝部１０６ｇで行い、回転操作部材であるサブダイアル１１２のカム凸面１１２a、カム凹面１１２ｂで圧縮バネ１２６の圧縮を行った。第２の実施の形態では、第１の実施の形態とは逆に、延出部１０６aにカム凸面１０６h、カム凹面１０６iを設け、サブダイアル１１２側に鋼球１２７と圧縮バネ１２６の保持を行う溝部１１２hを設けた。
【００５０】
図９から図１０を用いて第２の実施の形態の構成を説明する。図９は、サブダイアル面側の延出部斜視図である。図９において、第２の実施の形態で用いる延出部１０６aには、サブダイアル１１２の回転軸Yを中心とした円周方向沿って、カム凸面１０６hとカム凹面１０６iが連続するカム面がY軸方向を向いて設けられている。カム凸面１０６h、カム凹面１０６iは、撮影者がサブダイアル１１２を回転させた時に、圧縮バネ１２６の弾性力で付勢された鋼球１２７がカム凸面１０６h、カム凹面１０６iを乗り越えて、クリック力を発生させるためのものである。
【００５１】
カム凸面１０６hは、鋼球１２７を介して圧縮バネ１２６を後述するサブダイアル１１２の受け面１１２mに向けて大きく圧縮する。カム凹面１０６iは、鋼球１２７を介して圧縮バネ１２６を小さく圧縮する。カム凸面１０６h、カム凹面１０６iの回転軸Y方向の端部には傾斜面１０６jが設けられている。延出部１０６aには、サブダイアル１１２の回転を規制する穴１０６kと、回転位置指標１０６mがある。回転位置指標１０６mは穴１０６kの一部が凹形状になった形状であり、回転位置指標１０６mの凹形状の向きは、ひとつのカム凹面１０６iと回転軸Yの法線方向と一致している。
【００５２】
図１０(a)は、サブダイアル用ブラシ接片側のサブダイアル斜視図である。図１０(a)において、サブダイアル用ブラシ接片１１９は、サブダイアル１１２に設けられた位置決めだぼ１１２ｆでサブダイアル１１２への取付位置が決められ、接合部１１２ｇで接合されてサブダイアル１１２と一体化している。
【００５３】
図１０(b)は、溝部側のサブダイアル斜視図である。図１０(ｂ)は、図１０（a）で示したサブダイアル１１２の反対面側の斜視図である。サブダイアル１１２の溝部１１２hが有る面の一部をD部としている。溝部１１２hはサブダイアル１１２に設けられている。溝部１１２hは、サブダイアル１１２が延出部１０６aで覆われる面内に有る。溝部１１２hには、底面１１２iと側面１１２jと、受け面１１２kと、受け面１１２mが設けられている。底面１１２iの中程には貫通された穴部１１２nがある。
【００５４】
溝部１１２hは、回転軸Yに垂直な方向に底面１１２iと側面１１２jが伸び、その両端部を回転軸Ｙから遠い側にある受け面１１２kと、回転軸Ｙに近い側にある受け面１１２mとで囲まれている。
【００５５】
図１０(ｃ)は、溝部に圧縮バネと鋼球が組み込まれたサブダイアルの斜視図である。図１０（c）に示したように、組立作業者は最初に圧縮バネ１２６の片端部をサブダイアル１１２の受け面１１２mに接して組み込む。次に鋼球１２７を、溝部１１２hの受け面１１２kと圧縮バネ１２６の端部との間に組み込む。図１０（ｃ）で示した、溝部１１２hに沿って圧縮バネ１２６と鋼球１２７が載置されただけの状態では、圧縮バネ１２６は鋼球１２７によって圧縮されていない状態である。
【００５６】
故に鋼球１２７は圧縮バネ１２６の弾性力で溝部１１２hから押し出されることは無く、鋼球１２７は受け面１１２kと圧縮バネ１２６端部で保持されるので溝部１１２hから脱落することはない。組立作業者は、図１０（ｃ）の状態に組み立てるために、圧縮バネ１２６を圧縮させながら保持する必要がなく、ただ圧縮されていない圧縮バネ１２６を保持して溝部１１２hに置くだけでよい。同様に鋼球１２７も圧縮バネ１２６を圧縮させながら組み込む必要が無く、圧縮バネ１２６端部と受け面１１２kの間に置くだけでよい。
【００５７】
以上のように、第１の実施の形態と同様に、組立作業者に圧縮バネ１２６と鋼球１２７の溝部１１２hへの載置に、圧縮バネ１２６の圧縮作業を必要としない。このため、組立中の圧縮バネ１２６や鋼球１２７の溝部１１２hからの意図しない飛び出しや紛失が少なく、組立作業自体も容易である。
【００５８】
次に図１１を用いて、図９で説明した延出部１０６aと、図１０（c）で説明した鋼球１２７と圧縮バネ１２６が載置されたサブダイアル１１２との第２の実施の形態における組立方法を説明する。
【００５９】
図１１（a）は、延出部を鋼球に接触するまで組み込んだ状態の断面図である。図１１（a）において、組立作業者は、図１０（c）で非圧縮状態で圧縮バネ１２６と鋼球１２７が載置されてるサブダイアル１１２と、延出部１０６aを組む。組立作業者は始めに、図１１（a）の状態にするために、延出部１０６aの回転位置指標１０６mが溝部１１２hに一致するように延出部１０６aを回転させて向きを合わせ、次にサブダイアル１１２の回転軸Yと一致する図面A方向に組み付けを行う。
【００６０】
回転位置指標１０６mを溝部１１２hと一致させる理由は、延出部１０６aのA方向組み付けによって移動する鋼球１２７の移動量をなるべく減らすためである。回転位置指標１０６mは、圧縮バネ１２６の圧縮量が小さいカム凹面１０６i の1つの位相を示している。鋼球１２７と圧縮バネ１２６の移動量が減れば、圧縮バネ１２６を圧縮するために必要なサブダイアル１１２のＡ方向に組む組み付け力が減り組み付け易くなる。
【００６１】
延出部１０６aをA方向に回転軸Yと一致させて落としこむと、カム凸面１０６h、カム凹面１０６iと接する側の鋼球１２７の半球面１２７aに、延出部１０６aの傾斜面１０６ｊが接する図１１（a）に示した状態になる。図１１（a）に示したように、鋼球１２７の上端部と延出１０６aの組込A方向の隙間をBとする。さらにA方向と垂直方向の延出部１０６aとサブダイアル１１２の偏心可能な隙間をCとする。隙間Bと隙間Cは、いずれも鋼球１２７の直径よりも小さいので、鋼球１２７がサブダイアル１１２組込中にサブダイアル１１２と延出部１０６aとの隙間から飛び出すことはない。
【００６２】
組立の際に、延出部１０６aとサブダイアル１１２の回転軸Yを規制する貫通軸のような組立補助冶具を用いれば、必ずしも隙間Cを鋼球１２７の直径以下にすることなく延出部１０６aとサブダイアル１１２は組立中に回転軸Yに対して垂直方向にずれ難くなる。図１１（a）の状態から組立作業者が上面側カバー１０６を回転軸Yと一致する図面A方向にさらに押しこむと、鋼球１２７の半球１２７aが延出部１０６aの傾斜面１０６jに押されて、押された前記鋼球１２７を介して前記圧縮バネ１２６が受け面１１２m方向に圧縮される。
【００６３】
鋼球１２７は、傾斜面１０６jを伝って圧縮量が小さいカム面１０６iに落ち込む。圧縮量が小さいカム凹面１０６iを溝部１１２hと一致させて上面側カバー１０６を組んでいるので、鋼球１２７の傾斜面１０６jからカム凹面１０６iへの移動量がカム凸１０６hと溝部１１２hを一致させて組むより小さくなり、圧縮バネ１２６の圧縮が滑らかに行われる。
【００６４】
図１１（b）は、延出部とサブダイアルが回転軸方向に組まれた状態の断面図である。図１１（ｂ）は、延出部１０６aのサブダイアル１１２へのA方向への組み込みが完了した状態を示している。
【００６５】
以上のように、組立作業者は、延出部１０６aを回転軸Yと一致するA方向に押し込むだけで、所望の位置までの鋼球１２７による圧縮バネ１２６の圧縮作業が完了する。図１１（a）から図１１（ｂ）に至る組立で、組立作業者に圧縮バネ１２６や鋼球１２７を直接触って圧縮作業をさせないので、組立中の圧縮バネ１２６や鋼球１２７の溝部１１２hからの意図しない飛び出しや紛失が少なく、組立作業自体も容易である。
【００６６】
第２の実施の形態で説明した溝部１１２hの形状は一例であり、延出部１０６a組込み中に、載置された鋼球１２７や圧縮バネ１２６がサブダイアル１１２の溝部１１２hから容易に脱落しない溝部の形状であれば他の形状でも構わない。
【００６７】
第２の実施の形態では、回転軸Yに近い側に溝部１１２hの圧縮バネ１２６受け面１１２ｍを設け、回転軸Y遠い側に鋼球１２７受け面１１２ｋ設けた。しかし、第２の実施の形態のような延出部１０６aのカム面１０６h、１０６jが回転軸Yに向く方向のカム面ではなく、逆に、回転軸Y中心から外を向く方向のカム面にする。このようなカム面の場合は、回転軸Yに近い側に溝部１１２hの鋼球１２７受け面１１２ｋを設け、回転軸Yから遠い側に圧縮バネ１２６受け面１１２ｍを設けても構わない。
【００６８】
第２の実施の形態では、回転操作手段の回転操作部材として、第２の回転操作部材であるサブダイアル１１２での実施を例に説明したが、他の回転操作部材で実施しても構わない。
【符号の説明】
【００６９】
１００  カメラ本体
１０１  正面側カバー
１０２  背面側カバー
１０３  撮影レンズ
１０４  右面側カバー
１０５  ストロボユニット
１０６  上面側カバー
１０６a  延出部
１０６b  底面
１０６c  側面
１０６d  受け面
１０６e  受け面
１０６ｆ  穴部
１０６g  溝部
１０６h  カム凸面
１０６i カム凹面
１０６j  傾斜面
１０６k  穴
１１２h  溝部
１０６ｍ  回転位置指標
１０７  底面側カバー
１０８  表示ユニット
１０９  電源レバー
１１１  露出補正ダイアル
１１１a  化粧板
１１１b  穴部
１１１c 軸
１１２  サブダイアル
１１２a カム凸面
１１２b  カム凹面
１１２ｃ  傾斜面
１１２d  穴
１１２e 回転位置指標
１１２f  位置決めだぼ
１１２g  熱カシメ部
１１２h  溝部
１１２i 底面
１１２ｊ 側面
１１２k  受け面
１１２m  受け面
１１２n  穴部
１１４  レリーズボタン
１１５  第一封止部材
１１６  鋼球
１１７  圧縮バネ
１１８  第二封止部材
１１９  サブダイアル用ブラシ接片
１２０  基板
１２０a  サブダイアル用パターン部
１２０b  露出補正ダイアル用パターン部
１２１  トップベース
１２２  ビス
１２３  露出補正用ブラシ接片
１２４  抜け止め板
１２５  ビス
１２６  圧縮バネ
１２７  鋼球
１２７a  カム面と接する側の鋼球１２７の半球面
１２８  鋼球
１２９  圧縮バネ
【図１】
2018101082.tif 000003
【図２】
2018101082.tif 000004
【図３】
2018101082.tif 000005
【図４】
2018101082.tif 000006
【図５】
2018101082.tif 000007
【図６】
2018101082.tif 000008
【図７】
2018101082.tif 000009
【図８】
2018101082.tif 000010
【図９】
2018101082.tif 000011
【図１０】
2018101082.tif 000012
【図１１】
2018101082.tif 000013